【事件の表示】
　特許第４８７１８２４号に関する訂正審判事件について、次のとおり審決する。
【結　論】
　特許第４８７１８２４号に係る明細書、特許請求の範囲及び図面を本件審判請求書に添付された訂正明細書及び訂正特許請求の範囲のとおり訂正することを認める。
【理　由】
１．手続の経緯
　本件特許第４８７１８２４号の請求項１〜３に係る発明は、平成１９年９月２７日に特許出願され、平成２３年１１月２５日に特許権の設定登録がなされ、その後、平成２３年１２月１９日付けで本件審判が請求されたものである。
　
　
２．審判請求の要旨
　本件審判請求の要旨は、本件特許第４８７１８２４号の明細書（以下、「本件特許明細書」という。）及び特許請求の範囲（以下、「本件特許請求の範囲」という。）を、本件審判請求書に添付された訂正明細書及び訂正特許請求の範囲のとおり訂正することを求めるものである。
　その訂正内容は、次のとおりである。（下線は当審で付加。）
　
＜訂正事項１＞
　本件特許請求の範囲の請求項１（以下、「訂正前の請求項１」という。）
「遊技の進行を制御する主制御手段と、遊技の進行に伴って実行される演出を制御するサブ制御手段と、所定の操作手段とを備え、前記操作手段が操作されたことを示す信号が前記サブ制御手段のみに入力される遊技機において、
　前記主制御手段は、
　所定条件の成立により当否判定を行う当否判定手段と、
　前記当否判定の実行に伴って抽選図柄表示部で抽選図柄を変動表示させるとともに、所定の変動時間の終了後、前記当否判定の結果に応じた種類の図柄で前記抽選図柄を停止表示させる抽選図柄表示制御手段とを備えて構成されており、
　前記サブ制御手段は、
　前記抽選図柄の変動表示に伴って演出図柄表示部で演出図柄を変動表示させるとともに、前記抽選図柄の停止表示に伴って前記抽選図柄の停止図柄に対応する当り表示態様または外れ表示態様で前記演出図柄を停止表示させる演出図柄表示制御手段と、
　前記操作手段に対する操作を有効とする有効期間を、前記抽選図柄の変動時間を超えない範囲で発生させる有効期間発生手段とを備えて構成されており、
　前記演出図柄表示制御手段は、
　前記有効期間内に前記操作手段が操作された場合に、前記抽選図柄の変動表示が継続した状態で、前記演出図柄を外れ表示態様で停止表示させた後、前記抽選図柄の残り変動時間に応じて前記演出図柄の変動表示を再度実行し、
　前記有効期間発生
定
　前記操作手段に対する操作に基づく前記演出図柄の停止表示後に前記演出図柄の変動表示が再度実行されると、前記抽選図柄の変動表示が継続した状態で、該抽選図柄の残り変動時間を超えない範囲で前記有効期間を再度発生させることを特徴とする遊技機。」を、
「遊技の進行を制御する主制御手段と、遊技の進行に伴って実行される演出を制御するサブ制御手段と、所定の操作手段とを備え、前記操作手段が操作されたことを示す信号が前記サブ制御手段のみに入力される遊技機において、
　前記主制御手段は、
　所定条件の成立により当否判定を行う当否判定手段と、
　前記当否判定の実行に伴って抽選図柄表示部で抽選図柄を変動表示させるとともに、所定の変動時間の終了後、前記当否判定の結果に応じた種類の図柄で前記抽選図柄を停止表示させる抽選図柄表示制御手段とを備えて構成されており、
　前記サブ制御手段は、
　前記抽選図柄の変動表示に伴って演出図柄表示部で演出図柄を変動表示させるとともに、前記抽選図柄の停止表示に伴って前記抽選図柄の停止図柄に対応する当り表示態様または外れ表示態様で前記演出図柄を停止表示させる演出図柄表示制御手段と、
　前記操作手段に対する操作を有効とする有効期間を、前記抽選図柄の変動時間を超えない範囲で発生させる有効期間発生手段とを備えて構成されており、
　前記演出図柄表示制御手段は、
　前記有効期間内に前記操作手段が操作された場合に、前記抽選図柄の変動表示が継続した状態で、前記演出図柄を外れ表示態様で停止表示させた後、前記抽選図柄の残り変動時間に応じて前記演出図柄の変動表示を再度実行し、
　前記有効期間発生手段は、
　前記操作手段に対する操作に基づく前記演出図柄の停止表示後に前記演出図柄の変動表示が再度実行されると、前記抽選図柄の変動表示が継続した状態で、該抽選図柄の残り変動時間を超えない範囲で前記有効期間を再度発生させることを特徴とする遊技機。」と訂正する。
　
＜訂正事項２＞
　本件特許明細書の段落【０００５】
「上記目的を達成するため、本発明は、遊技の進行を制御する主制御手段と、遊技の進行に伴って実行される演出を制御するサブ制御手段と、所定の操作手段とを備え、前記操作手段が操作されたことを示す信号が前記サブ制御手段のみに入力される遊技機において、
　前記主制御手段は、所定条件の成立により当否判定を行う当否判定手段と、前記当否判定の実行に伴って抽選図柄表示部で抽選図柄を変動表示させるとともに、所定の変動時間の終了後、前記当否判定の結果に応じた種類の図柄で前記抽選図柄を停止表示させる抽選図柄表示制御手段とを備えて構成されており、
　前記サブ制御手段は、前記抽選図柄の変動表示に伴って演出図柄表示部で演出図柄を変動表示させるとともに、前記抽選図柄の停止表示に伴って前記抽選図柄の停止図柄に対応する当り表示態様または外れ表示態様で前記演出図柄を停止表示させる演出図柄表示制御手段と、前記操作手段に対する操作を有効とする有効期間を、前記抽選図柄の変動時間を超えない範囲で発生させる有効期間発生手段とを備えて構成されており、
　前記演出図柄表示制御手段は、前記有効期間内に前記操作手段が操作された場合に、前記抽選図柄の変動表示が継続した状態で、前記演出図柄を外れ表示態様で停止表示させた後、前記抽選図柄の残り変動時間に応じて前記演出図柄の変動表示を再度実行し、
　前記有効期間発生
定
「上記目的を達成するため、本発明は、遊技の進行を制御する主制御手段と、遊技の進行に伴って実行される演出を制御するサブ制御手段と、所定の操作手段とを備え、前記操作手段が操作されたことを示す信号が前記サブ制御手段のみに入力される遊技機において、
　前記主制御手段は、所定条件の成立により当否判定を行う当否判定手段と、前記当否判定の実行に伴って抽選図柄表示部で抽選図柄を変動表示させるとともに、所定の変動時間の終了後、前記当否判定の結果に応じた種類の図柄で前記抽選図柄を停止表示させる抽選図柄表示制御手段とを備えて構成されており、
　前記サブ制御手段は、前記抽選図柄の変動表示に伴って演出図柄表示部で演出図柄を変動表示させるとともに、前記抽選図柄の停止表示に伴って前記抽選図柄の停止図柄に対応する当り表示態様または外れ表示態様で前記演出図柄を停止表示させる演出図柄表示制御手段と、前記操作手段に対する操作を有効とする有効期間を、前記抽選図柄の変動時間を超えない範囲で発生させる有効期間発生手段とを備えて構成されており、
　前記演出図柄表示制御手段は、前記有効期間内に前記操作手段が操作された場合に、前記抽選図柄の変動表示が継続した状態で、前記演出図柄を外れ表示態様で停止表示させた後、前記抽選図柄の残り変動時間に応じて前記演出図柄の変動表示を再度実行し、
　前記有効期間発生手段は、前記操作手段に対する操作に基づく前記演出図柄の停止表示後に前記演出図柄の変動表示が再度実行されると、前記抽選図柄の変動表示が継続した状態で、該抽選図柄の残り変動時間を超えない範囲で前記有効期間を再度発生させることを特徴としている。」と訂正する。
　
　
３．当審の判断
＜訂正事項１＞について
　訂正前の請求項１において、「前記有効期間発生
定
定
　前記「有効期間発生
定
　を考慮すると、前記「前記有効期間発生
定
　よって、訂正前の請求項１において「前記有効期間発生
定
　
＜訂正事項２＞について
　訂正事項１における訂正した特許請求の範囲の記載と、発明の詳細な説明の記載との整合を取るものであって、明りようでない記載の釈明を目的とするものである。
　
［当審の判断のまとめ］
　したがって、
　訂正事項１は、特許法１２６条１項ただし書２号に掲げる事項を、
　訂正事項２は、特許法１２６条１項ただし書３号に掲げる事項を、
　それぞれ目的としたものである。
　そして、訂正事項１は、願書に最初に添付した明細書又は図面に記載された事項の範囲内においてされたものであり、訂正事項２は、願書に添付した明細書又は図面に記載された事項の範囲内においてされたものであるから、特許法１２６条３項の規定に適合する。
　また、訂正事項１〜２は、実質上特許請求の範囲を拡張し又は変更するものでもないので、特許法１２６条４項の規定に適合する。
　さらに、訂正後の請求項１に係る発明について、特許出願の際独立して特許を受けることができないとする理由を発見しないから、特許法１２６条５項の規定にも適合する。
　
　
４．むすび
　以上のとおりであるから、本件審判の請求は、特許法１２６条１項ただし書２〜３号に掲げる事項を目的とするものである。また、同条３〜５項の規定にも適合する。
　よって、結論のとおり審決する。